(57)【要約】【課題】車両用機器を操作するコマンドを選択する過程や、その表示を分かりやすく、かつ面白みのある車両用機器の選択装置を提供する事。【解決手段】ディスプレイ３０と、ディスプレイ３０に表示される複数のコマンドのうち、少なくとも１つを選択するジョグダイアル装置１０と、コマンドがジョグダイアル装置１０によって選択された事を、コマンドを実行する各機器に伝達する表示制御部２０とを備えた選択装置１００であって、表示制御部２０は、ディスプレイ３０に、複数のコマンドを同一閉ループ上に配列表示し、ジョグダイアル装置１０は、時計回り、または反時計回りのどちらか一方向に周回させ、閉ループ上の所定の位置に到達した１つのコマンドを選択する事により、選択したいコマンドを同一閉ループ上の所定の位置にて選択するので、実行したいコマンドを選択する過程やその表示を分かりやすく、かつ面白みを持ったものにする事が可能となる。【選択図】図２
2004306709.tif 000002
【特許請求の範囲】
【請求項１】
車両に搭載される機器を操作する複数のコマンドを表示する表示手段と、
前記表示手段に表示される複数の前記コマンドのうち、少なくとも１つを選択する選択手段と、
前記コマンドが前記選択手段によって選択された事を、前記コマンドを実行する前記機器に伝達する表示制御手段とを備えた車両用機器の選択装置であって、
前記表示制御手段は、前記表示手段に、複数の前記コマンドを同一閉ループ上に配列して表示し、
前記選択手段は、複数の前記コマンドを時計回り、または反時計回りのどちらか一方向に周回させ、前記閉ループ上の所定の位置に到達した少なくとも１つの前記コマンドを選択する事を特徴とする車両用機器の選択装置。
【請求項２】
前記表示制御手段は、前記同一閉ループ上を時計回り、または反時計回りに周回する複数の前記コマンドの周回軌跡を、前記表示手段に表示する事を特徴とする請求項１に記載の車両用機器の選択装置。
【請求項３】
前記表示制御手段は、複数の前記コマンドを前記車両内に既設の表示装置に表示する事を特徴とする請求項１または２に記載の車両用機器の選択装置。
【請求項４】
前記表示制御手段は、複数の前記コマンドが配列する前記閉ループの少なくとも一部を表示する事を特徴とする請求項１乃至３のいずれかに記載の車両用機器の選択装置。
【請求項５】
前記選択手段は、ジョグダイアル装置から構成される事を特徴とする請求項１乃至４のいずれかに記載の車両用機器の選択装置。
【発明の詳細な説明】
【０００１】
【発明の属する技術分野】
本発明は、車両に搭載される様々な機器、例えばカーエアコンやナビゲーション装置を操作するコマンドを表示し選択する車両用機器の選択装置に関する。
【０００２】
【従来の技術】
従来から、車両に搭載される様々な機器を操作するコマンドを表示し、そのコマンドを選択、実行する装置としては、例えば特許文献１に記載されるように、車両に搭載される様々な機器のコマンド群を、１つの表示装置にて集中的にメニュー階層表示し、それらの中から所望するコマンドを、表示手段の管面上に備えるタッチパネル、または運転席近傍に備えるジョイスティックによって選択し、実行すると言うものがある。
【０００３】
【特許文献１】特許第２９９３３５７号公報
【０００４】
【発明が解決しようとする課題】
しかし、上述した車両用機器の選択装置は、タッチパネル、若しくはジョイスティックにて選択したコマンドが実行されるに止まり、コマンドを選択する過程やその表示に面白みが掛け、分かりにくかった。
【０００５】
本発明は上記の点を鑑みてなされたものである。すなわち表示されているコマンドを選択する過程やその表示を分かりやすく、かつ面白みを持った車両用機器の選択装置を提供する事を目的とする。
【０００６】
【課題を解決するための手段】
請求項１に記載の車両用機器の選択装置は、車両に搭載される機器を操作する複数のコマンドを表示する表示手段と、前記表示手段に表示される複数の前記コマンドのうち、少なくとも１つを選択する選択手段と、前記コマンドが前記選択手段によって選択された事を、前記コマンドを実行する前記機器に伝達する表示制御手段とを備えた車両用機器の選択装置であって、前記表示制御手段は、前記表示手段に、複数の前記コマンドを同一閉ループ上に配列して表示し、時計回り、または反時計回りのどちらか一方向に複数の前記コマンドを周回させ、前記選択手段は、前記閉ループ上の所定の位置に到達した少なくとも１つの前記コマンドを選択する事を特徴とする。
【０００７】
この発明により、選択したいコマンドを同一閉ループ上にて、時計回り、または反時計回りに周回させ、同一閉ループ上の所定の位置に到達させ選択する事が出来るので、実行したいコマンドを選択するまでの過程やその表示を分かりやすく、かつ面白みを持たせる事が可能となる。
【０００８】
請求項２に記載の車両用機器の選択装置は、前記表示制御手段は、前記同一閉ループ上を時計回り、または反時計回りに周回する複数の前記コマンドの周回軌跡を、前記表示手段に表示する事を特徴とする。
【０００９】
この発明により、コマンドが時計回り、反時計回りのどちら向きに回っているのかを分かりやすく表示する事が可能となる。
【００１０】
請求項３に記載の車両用機器の選択装置は、前記表示制御手段は、複数の前記コマンドを前記車両内に既設の表示装置に重ねて表示する事を特徴とする。
【００１１】
この発明により、既に車両に設けられている表示装置に同一閉ループ上にて周回する複数のコマンドを表示する事が出来るので、新たに表示手段を備える必要がなく安価に構成する事が可能になる。
【００１２】
請求項４に記載の車両用機器の選択装置は、前記表示制御手段は、複数の前記コマンドが配列する前記閉ループの少なくとも一部を表示する事を特徴とする。
【００１３】
この発明により、表示するコマンドの数が多くなっても、表示を簡素にする事が可能になる。
【００１４】
請求項５に記載の車両用機器の選択装置は、前記選択手段は、ジョグダイアル装置から構成される事を特徴とする。
【００１５】
この発明により、コマンドを周回させる操作と、所定の位置に到達したコマンドを選択する操作とを少なくとも一つの指で行う事ができ、操作を簡便にする事が可能になる。
【００１６】
【発明の実施の形態】
本発明の一実施形態にかかる車両用機器の選択装置１００を図を用いて説明する。図１は本発明の車両用機器の選択装置１００の構成の概略を示した構成図である。
【００１７】
また、図２は車両用機器の選択装置１００が実際に車両に搭載された状況を示した説明図である。
【００１８】
車両用機器の選択装置１００は、ジョグダイアル装置１０と、表示制御部２０と、ディスプレイ３０とからなっている。
【００１９】
ジョグダイアル装置１０は、時計回りまたは反時計回りに回転する回転機能と、回転軸に設けたボタン部１０ａを所定の方向に一定の深さまで押し込む事が出来るボタン機能とが備わっているドラム型スイッチ機構である。
【００２０】
このジョグダイアル装置１０は、後述する表示制御部２０と電気的に接続しており、後述するディスプレイ３０に表示される同一閉ループ上に、円を描くように配列したコマンドを回転機能と連動するように時計回り、または反時計回りに周回させ、閉ループ上の所定の位置に到達した少なくとも１つのコマンドを上述したボタン部１０ａのボタン機能によって選択する事が出来る。
【００２１】
図２にジョグダイアル装置１０が実際に車両に設置される状況を示す。
【００２２】
ジョグダイアル装置１０は、運転者がステアリング２００を離す事なく、ジョグダイアル装置１０を操作出来るように、主としてステアリング２００の内側に設けられる事が好適である。このジョグダイアル装置１０は請求項で示す選択手段に相当する。
【００２３】
図１に示す表示制御部２０は、車両用装置Ａ、Ｂ、Ｃの操作コマンドを後述するディスプレイ３０に表示するよう制御するＥＣＵである。
【００２４】
車両用装置Ａ、Ｂ、Ｃは、車両に搭載する事が可能で、かつ外部から動作を制御するコマンドを制御信号として入力可能な機器である。
【００２５】
この車両用装置Ａ、Ｂ、Ｃは、例えば、ナビゲーション装置、ＥＴＣ車載器、車速度計、燃料計、ワイパー作動装置、ライト点灯装置など、元々車両内に設置される装置から、後から車両に搭載する装置にまで及び、上述したように外部から動作を制御するコマンドを制御信号として入力可能であるならば、その種類は問わない。
【００２６】
この表示制御部２０は、上述した様々な車両用機器を操作、制御するコマンドを内部に格納しており、そのコマンドを後述するディスプレイ３０に表示する。
【００２７】
そして、ジョグダイアル装置１０によってディスプレイ３０に表示されているコマンドが選択された場合、その選択されたコマンドを制御信号として、対応する個々の車両用機器に対して入力し、装置を動作させる。この表示制御部２０は請求項で示す表示制御手段に相当する。
【００２８】
ディスプレイ３０は、ＣＲＴまたは液晶表示装置からなる表示手段である。車両に既設の表示手段、例えばヘッドアップディスプレイ（ＨＵＤ）でも良いし、本発明の為に専用に設けられたものでも良い。
【００２９】
図２に示すディスプレイ３０は、車両に既に備えられている表示手段を用いている所を示している。このディスプレイ３０は請求項で示す表示手段に相当する。
【００３０】
次に、車両用機器の選択装置１００の作動について図３、図４を用いて説明する。
【００３１】
図３は、車両用機器の選択装置１００の作動を示したフローチャートである。
【００３２】
ステップＳ１にて、ジョグダイアル装置１０が所定の角度、回転したか否か判定し、回転したならばステップＳ２に進む。
【００３３】
ステップＳ２にて、ステップＳ１で判定したジョグダイアル装置１０の所定の回転角度に対応して、ディスプレイ３０にて同一閉ループ上を円を描くように配列表示するコマンドを周回させる。
【００３４】
ステップＳ３にて、配列表示する複数のコマンドのうち、少なくとも１つのコマンドが閉ループ上の所定の位置、例えば最右端（３時の方向）に到達したか否かを判定する。到達したならば、ＳステップＳ４に進む。
【００３５】
ステップＳ４にて、ステップＳ３で所定の位置（３時の方向）に到達しているコマンドが、ジョグダイアル装置１０によって選択された、すなわちジョグダイアル装置１０のボタン機能が作動したか否か判定する。
【００３６】
ボタン機能が作動し、所定の位置のコマンドが選択された場合には、ステップＳ５に進む。
【００３７】
ステップＳ５にて、選択されたコマンドに対応する制御信号を、そのコマンドにて操作する車両用機器の外部入力部に入力する。
【００３８】
上述した処理で作動する車両用機器の選択装置１００の具体的な作動を図４〜図８に示す。
【００３９】
図４〜図８はカーオーディオを操作するまでの過程を示している。図４〜図８は、車両に既設のディスプレイ３０がナビゲーション装置、ＥＴＣ車載器、カーエアコン、そしてカーオーディオの操作コマンドを表示している所を示した説明図である。
【００４０】
このディスプレイ３０は、本来は中央に表示されるタコメータ３１と、右上に表示される燃料温度計３２と、右下に表示されるエンジン温度計３３と、左上に表示される燃料圧力計３４と、左下に表示される燃料計３５とを表示する為の表示手段だが、これら各計器の判読性を損なわないように、ナビゲーション装置、ＥＴＣ車載器、カーエアコン、そしてカーオーディオの操作コマンドが点線で示した同一閉ループ上に表示されている。
【００４１】
図４では、ディスプレイ３０の最上端（１２時の方向）にＥＴＣ車載器のコマンドが、最右端（３時の方向）にナビゲーション装置のコマンドが、最下端（６時の方向）にカーオーディオのコマンドが、最左端（９時の方向）にカーエアコンのコマンドが、それぞれ表示されている。
【００４２】
ジョグダイアル装置１０を所定の角度、例えば略９０度、反時計回りに回転させると、上述した４つの操作コマンドは、図５に示すような周回軌跡を描きながら、図６のように、反時計回りに周回する。この図５に示す周回軌跡は請求項で示す周回軌跡に相当する。
【００４３】
ここで、例えばユーザーが操作したい機器のコマンドが、ディスプレイ３０の最右端（３時の方向）に到達した場合、ジョグダイアル装置１０のボタン部１０ａを作動させる事によって、最右端（３時の方向）に到達している操作コマンドに対応する制御信号が、対応する機器の外部入力部に入力される。
【００４４】
図６ではディスプレイ３０の最右端（３時の方向）に位置する操作コマンドは、「カーオーディオ」なので、ここでユーザーがジョグダイアル装置３０のボタン部１０ａを作動、すなわち選択する。
【００４５】
選択すると、図７に示すように、ディスプレイ３０に表示されるコマンドは全て「カーオーディオ」を操作するコマンド、すなわち、「テープ」「ＣＤ」「ラジオ」「ＭＤ」と「戻る」に変化する。つまり各コマンドは階層表示形式に設定されている。
【００４６】
この時、図４〜図６までは４つのコマンドが表示されていたが、「カーオーディオ」を選択した事で、図７に示すように５つのコマンドが表示される。このようにディスプレイ３０に表示されるコマンドの数は固定ではない。
【００４７】
「カーオーディオ」に関する４つのコマンドが表示されている図７の最右端（３時の方向）に位置するコマンドは、「ＣＤ」なので、この時にユーザーが、ジョグダイアル装置１０のボタン部１０ａを作動させる、すなわち選択すると、カーオーディオに組み込まれているＣＤ再生装置を操作するコマンド、すなわち、「再生」「停止」「一時停止」と「戻る」の４つのコマンドが、図８に示すように表示される。
【００４８】
このように、表示されている操作コマンドを選択する過程として、実行したい操作コマンドを選択するまでの過程に、ジョグダイアル装置１０と言う選択手段によって、実行したい操作コマンドを選択可能な所定の位置にまで軌跡を描いて周回させると言う表示を行う事によって、分かりやすく、かつ面白みを持った操作コマンドの選択が出来車両用機器の選択装置を提供する事が可能となる。
【図面の簡単な説明】
【図１】本発明の一実施形態の車両用機器の選択装置１００の構成の概略を示した構成図である。
【図２】車両用機器の選択装置１００が車両に搭載された状況を示す説明図である。
【図３】車両用機器の選択装置１００の作動を示すフローチャートである。
【図４】ディスプレイ３０に操作コマンドが表示される様子を示す説明図である。
【図５】ディスプレイ３０に表示された操作コマンドが周回軌道を描いて周回する様子を示す説明図である。
【図６】ディスプレイ３０に操作コマンドが表示される様子を示す説明図である。
【図７】ディスプレイ３０に表示された「カーオーディオ」コマンドが選択された際の様子を示した説明図である。
【図８】ディスプレイ３０に表示された「ＣＤ」コマンドが選択された際の様子を示した説明図である。
【符号の説明】
１０    ジョグダイアル装置（選択手段）
２０    表示制御部（表示制御手段）
３０    ディスプレイ（表示手段）
１００  選択装置
２００  ステアリング
【図１】
2004306709.tif 000003
【図２】
2004306709.tif 000004
【図３】
2004306709.tif 000005
【図４】
2004306709.tif 000006
【図５】
2004306709.tif 000007
【図６】
2004306709.tif 000008
【図７】
2004306709.tif 000009
【図８】
2004306709.tif 000010